(57)【要約】  本発明は、真空ポンプを具備したクリームタイプの化粧品容器に関し、ボタンキャップを一定区間おいて、回転させた時にポンピング部材のポンピング動作が行われ、内容物を吐出するように構成され、小さな力でも高粘度の内容物を吐出することができるだけでなく、ボタンキャップの回転角度によって、内容物の吐出量を調節するように構成することにより、ユーザーが必要とする吐出量を調節して使用することができる。【選択図】図３【特許請求の範囲】
【請求項１】
内容物を貯蔵し、内容物の使用によって容積が減少する容器本体と、
前記容器本体の上部を覆って結合し、ポンピング部材のポンピング動作ができるようにシリンダを具備する支持体と、
前記支持体の前記シリンダに挿入され、昇降移動によるポンピング動作によって前記内容物を吐出させるポンピング部材と、
前記ポンピング部材の上側に位置し、内容物吐出ホールが形成され、ユーザーの操作によって回転できるように構成されるボタンキャップと、
前記ボタンキャップの内側に結合し、前記ボタンキャップと一緒に回転し、この回転過程によって前記ポンピング部材に押圧力を伝達し、前記ポンピング部材の前記ポンピング動作を引き起こすポンピングガイド部と、を具備し、
前記ボタンキャップの回転角度によって、前記内容物の吐出量を調節するように構成されたことを特徴とする真空ポンプを具備したクリームタイプ化粧品容器。
【請求項２】
前記容器本体の上部に結合し、前記ボタンキャップの回転角度に応じた内容物の吐出量を表示するように、表示部が形成された固定体をさらに具備することを特徴とする請求項１記載の真空ポンプを具備したクリームタイプ化粧品容器。
【請求項３】
前記ポンピングガイド部の下面から下方向に延長され、前記ポンピングガイド部の回転によって前記ポンピング部材を押圧する少なくとも一つ以上の押圧突起を具備することを特徴とする請求項２に記載の真空ポンプを具備したクリームタイプ化粧品容器。
【請求項４】
前記ポンピング部材の上端には、前記ポンピングガイド部の回転によって前記押圧突起に押圧されるポンピングガイド突起を具備し、前記ポンピングガイド突起は一側から他側に至る緩やかな傾斜面を形成し、その先端には、前記押圧突起の移動を規制する規制部が形成されることを特徴とする請求項３に記載の真空ポンプを具備したクリームタイプ化粧品容器。
【請求項５】
前記ボタンキャップの回転による前記ポンピングガイド部の回転時、前記押圧突起が前記ポンピングガイド突起の上面に沿って移動する過程で、前記ボタンキャップの回転角度による前記ポンピングガイド突起の傾斜面の高さの差異により、前記ポンピング部材の工程距離が制御されて前記内容物の吐出量を調節するように構成されることを特徴とする請求項４に記載の真空ポンプを具備したクリームタイプ化粧品容器。
【請求項６】
前記固定体の内周面には、ボタンキャップの回転時に回転角度によってユーザーがこれを手の感覚で認知することができるように係止突起を具備し、前記ボタンキャップの外周面には、前記係止突起を乗り越え可能な回転突起を具備することを特徴とする請求項５に記載の真空ポンプを具備したクリームタイプ化粧品容器。
【発明の詳細な説明】
【技術分野】
【０００１】
本発明は、真空ポンプを具備したクリームタイプの化粧品容器に関し、より詳細には、ボタンキャップを一定区間で回転の時に、ポンピング部材のポンピング動作が行われ、内容物を吐出するように構成され、小さな力でも高粘度の内容物を吐出することができるだけでなく、ボタンキャップの回転角度によって、内容物の吐出量を調節するように構成することにより、ユーザーが必要なだけ吐出量を調節して使用することができる真空ポンプを具備したクリームタイプ化粧品容器に関する。
【背景技術】
【０００２】
一般的に真空化粧品容器は、化粧品容器に収容する内容物と空気との接触を防止するように構成するもので、内容物を収容する容器本体と、前記容器本体の上部を包んで結合し、ポンピング部材を支持する支持体と、前記支持体に結合し、容器本体の内部を真空状態に作って、ポンピング動作によって内容物を排出するポンピング部材と、前記ポンピング部材の上部に位置してユーザーの押圧により、ポンピング部材を押圧し、中央部に内容物排出ホールが形成されるボタン部とで構成される。
【０００３】
前記のような構成で形成された真空化粧品容器は、ボタン部の上端部に、中央部に行くほど陥没する陥没部を形成し、陥没部に吐出する内容物を手につけて使用するように構成されるのに、内容物排出ホールがボタン部の中央に位置し、ボタン部の中央部を押圧してポンピング動作を行うことができない構造であるため、排出ホールを中心にボタン部のいずれか一側を押圧したり、上端両側を押圧してポンピング動作が行われる。
【０００４】
しかし、片手でボタン部のいずれか一側を押圧する場合、ボタン部の一側に傾く現象が発生し、まともなポンピング動作が行われず、内容物を一定に排出することが難しいという問題があった。
【０００５】
したがって、ユーザーは、排出ホールを中心にボタン部の両側を押圧し、ポンピング動作を続ける。このような場合、両手を使わなければならないので、ユーザーに不便さをもたらす問題があった。
【０００６】
前記のような問題点を解消するための「真空ポンプを具備したクリームタイプ化粧品容器」が大韓民国特許出願公開第10-2013-0107388号（以下、「公開特許」とする。）に開示されている。
【０００７】
前記公開特許は、外容器と、
前記外容器の内部に結合し、内容物を収容し、内部に内容物の使用によって上昇するピストンを具備し、その下端には、前記ピストンを上昇させるための空気が流入するように、空気流入ホールが形成される内容物器と、
前記外容器の上部を包んで結合し、ポンピング部材を支持する支持体と、
前記支持体に結合し、ポンピング動作によって内容物を排出するポンピング部材と、
前記ポンピング部材の上部に位置してポンピング部材を押圧し、上端中央部にはポンピング部材を押圧するためのユーザーの指が安着するように押圧表示部が形成され、
前記押圧表示部から偏向された位置に内容物排出ホールが形成される排出部が下方向に陥没して形成されるボタン部と、
前記ポンピング部材の上部に結合する結合管と、前記結合管から上方向に突出して、前記ボタン部に結合し、前記内容物排出ホールと連通し、前記結合管を介して垂直方向に移動する内容物の移動方向を切り替えて、一側に偏向された前記内容物排出ホールに内容物が移動する通路を形成する連通部で構成される内容物移動部と、を含み、
前記外容器の上端には、前記内容器の下端に形成される空気流入ホールに空気が移動し、ピストンが上昇することができるように、上端一部が切開し形成される空気移動ホールを少なくとも1つ以上具備することが特徴である。
【０００８】
しかし、前記公開特許はボタン部の押圧を介して、内容物の吐出が行われる構造なので、高粘度の内容物を吐出するために、比較的強い力が必要となるだけでなく、ボタン部を押圧する時、常に一定量の内容物が吐出するので、ユーザーが必要なだけ内容物を吐出させて使用することができないため、必要量よりも多くの内容物を吐出した場合には、無駄使用による内容物の不必要な消耗をもたらす問題があった。
【発明の概要】
【発明が解決しようとする課題】
【０００９】
本発明は、上述した問題点を解決するために発明されたもので、本発明の目的は、ボタンキャップを一定区間において回転させる時に、ポンピング部材のポンピング動作が行われて内容物を吐出するように構成され、小さな力でも高粘度の内容物を吐出することができるだけでなく、ボタンキャップの回転角度によって、内容物の吐出量を調節するように構成することにより、ユーザーが必要なだけの吐出量を調節して使用することができる真空ポンプを具備したクリームタイプ化粧品容器を提供することである。
【課題を解決するための手段】
【００１０】
前記のような問題点を解決するために、本発明に係る真空ポンプを具備したクリームタイプ化粧品容器は、内容物を貯蔵し、内容物の使用によって容積が減少する容器本体と、
前記容器本体の上部を覆って結合し、ポンピング部材のポンピング動作ができるようにシリンダを具備する支持体と、
前記支持体の前記シリンダに挿入され、昇降移動によるポンピング動作によって内容物を吐出するポンピング部材と、
前記ポンピング部材の上側に位置し、内容物吐出ホールが形成され、ユーザー操作によって回転できるように構成されるボタンキャップと、
前記ボタンキャップの内側に結合し、前記ボタンキャップと一緒に回転し、この回転過程によって前記ポンピング部材に押圧力を伝達し、前記ポンピング部材のポンピング動作を引き起こすポンピングガイド部と、を具備し、
前記ボタンキャップの回転角度によって、前記内容物の吐出量を調節するように構成することを特徴とする。
【００１１】
また、前記容器本体の上部に結合し、前記ボタンキャップの回転角度に応じた内容物の吐出量を表示するように、表示部が形成された固定体をさらに具備することを特徴とする。
【００１２】
また、前記ポンピングガイド部の下面から下方向に延長され、前記ポンピングガイド部の回転によって前記ポンピング部材を押圧する少なくとも一つ以上の押圧突起を具備することを特徴とする。
【００１３】
また、前記ポンピング部材の上端には、前記ポンピングガイド部の回転によって前記押圧突起に押圧されるポンピングガイド突起を具備し、前記ポンピングガイド突起は一側から他側に至る緩やかな傾斜面を形成し、その先端には、前記押圧突起の移動を規制する規制部が形成されることを特徴とする。
【００１４】
また、前記ボタンキャップの回転による前記ポンピングガイド部の回転時、前記押圧突起が前記ポンピングガイド突起の上面に沿って移動する過程で、前記ボタンキャップの回転角度による前記ポンピングガイド突起の傾斜面高さの差異により、前記ポンピング部材の工程距離が制御されて前記内容物の吐出量を調節するように構成することを特徴とする。
【００１５】
また、前記固定体の内周面には、ボタンキャップの回転時に回転角度によってユーザーがこれを手の感覚で認知することができる係止突起を具備し、前記ボタンキャップの外周面には、前記係止突起を乗り越えることができる回転突起を具備することを特徴とする。
【発明の効果】
【００１６】
以上のように、本発明によれば、ボタンキャップを一定区間において回転させる時にポンピング部材のポンピング動作が行われ、内容物を吐出するように構成し、小さな力でも高粘度の内容物を吐出することができるだけでなく、ボタンキャップの回転角度によって、内容物の吐出量を調節するように構成することにより、ユーザーが必要とする吐出量を調節して使用することができる長所がある。
【図面の簡単な説明】
【００１７】
【図１】本発明の好ましい実施形態に係る真空ポンプを具備したクリームタイプの化粧品容器の構成を示す分解斜視図である。
【図２】本発明の好ましい実施形態に係る真空ポンプを具備したクリームタイプの化粧品容器の構成を示す組立斜視図である。
【図３】本発明の好ましい実施形態に係る真空ポンプを具備したクリームタイプの化粧品容器の構成を示す断面図である。
【図４】本発明の好ましい実施形態に係る真空ポンプを具備したクリームタイプ化粧品容器のボタンキャップの回転時に、回転突起が係止突起を乗り越える状態を示す説明図である。
【図５】本発明の好ましい実施形態に係る真空ポンプを具備したクリームタイプ化粧品容器の使用方法を示す説明図である。
【図６】本発明の好ましい実施形態に係る真空ポンプを具備したクリームタイプ化粧品容器の使用方法を示す説明図である。
【図７】本発明の好ましい実施形態に係る真空ポンプを具備したクリームタイプ化粧品容器の使用方法を示す説明図である。
【図８】本発明の好ましい実施形態に係る真空ポンプを具備したクリームタイプ化粧品容器の使用方法を示す説明図である。
【図９】本発明の好ましい実施形態に係る真空ポンプを具備したクリームタイプ化粧品容器の使用方法を示す説明図である。
【発明を実施するための形態】
【００１８】
以下、図面を参照し、本発明を詳細に説明する。各図面に提示された同一の参照符号は、同一の部材を示す。
図1は、本発明の好ましい実施形態に係る真空ポンプを具備したクリームタイプの化粧品容器の構成を示す分解斜視図であり、図2は、本発明の好ましい実施形態に係る真空ポンプを具備したクリームタイプ化粧品容器の構成を示す組立斜視図である。
【００１９】
図3は、本発明の好ましい実施形態に係る真空ポンプを具備したクリームタイプ化粧品容器の構成を示す断面図であり、図4は、本発明の好ましい実施形態に係る真空ポンプを具備したクリームタイプの化粧品容器のボタンキャップの回転時に、回転突起が係止突起を乗り越える状態を示す説明図である。
【００２０】
図1〜4を参照すると、本発明の好ましい実施形態に係る真空ポンプを具備したクリームタイプの化粧品容器は、容器本体100、支持体200、ポンピング部材300、ボタンキャップ400、ポンピングガイド部500、固定体600を含む。
【００２１】
容器本体100は、内容物を貯蔵するものであり、その内部には内容物の使用によって上昇するピストンが設置される。容器本体100は、内容物の使用によって収縮する軟質の材料で構成することができ、内容物の使用によって容積が減少する多様な容器で構成することができる。
【００２２】
支持体200は、容器本体100の上部を包んで結合するものであり、その中央部にポンピング部材300のピストンロッド320、及び、シールキャップ330が昇降し、ポンピング動作ができるようにシリンダ210を具備し、前記シリンダ210の下端には、ポンピング部材300の作動時に、容器本体100に貯蔵した内容物が流入するように内容物流入ホール211が形成され、シリンダ210の内側には、ポンピング部材300の作動可否によって、前記内容物流入ホール211を開閉するチェックバルブ212が設置される。
【００２３】
また、支持体200には、ポンピング部材300の外周面に形成された垂直ガイド突起312が挿入されて昇降することができるように垂直ガイド溝220が形成され、垂直ガイド溝220は、ポンピング部材300の昇降の時に、ポンプ本体310が一側に傾かないで、垂直移動するようにガイドする。
【００２４】
ポンピング部材300は、支持体200のシリンダ210に挿入されて、昇降移動によるポンピング動作によって内容物を吐出させるものであり、ポンプ本体310、ピストンロッド320、シールキャップ330を含む。
【００２５】
ポンプ本体310は、ポンピングガイド部500内容物移動管520に移動可能に結合し、押圧突起530の押圧の有無によって昇降されるものであり、内容物移動管520と結合することができるよう中央部に結合管311が形成される。
【００２６】
本発明において、ポンプ本体310の上端には、後述するポンピングガイド部500の回転によって、押圧突起530により押圧されるポンピングガイド突起313を具備することを特徴とし、前記ポンピングガイド突起313は、一側から他側に向かって緩やかな傾斜面を形成するように構成される。これにより、ボタンキャップ400の回転によってポンピングガイド部500が一緒に回転し、押圧突起530がポンピングガイド突起313の上面に沿って移動する過程で傾斜面の高さによってポンピング部材300の工程距離が制御され、内容物の吐出量を調節して吐出させることができる。
【００２７】
一方、ポンピングガイド部500の回転角度を制御するために押圧突起530の移動を規制する規制部314がポンピングガイド突起313の先端に形成される。
【００２８】
ポンプ本体310は、その内側上部がスプリングSによって支持され、ユーザーがボタンキャップ400を回転させる押圧力を解除すると、スプリングSの弾性力によって上方に移動し、この上方移動の過程で、押圧突起530がポンピングガイド突起313の傾斜面に沿って反対方向に戻り、次のポンピング動作のための状態に復元される。
【００２９】
一方、ポンプ本体310の外周面には、ポンプ本体310の昇降の時に、一側に傾かないで、垂直移動できるように、垂直ガイド溝220に沿って昇降する垂直ガイド突起312が形成される。
【００３０】
ピストンロッド320は、ポンプ本体310の内側に結合し、ポンプ本体310の移動と共に移動するものであり、その外周面には、シリンダ210の内壁に密着し、ピストンロッド320の昇降と共に移動し、シリンダ210の内部の圧力を変化させるシールキャップ330が結合される。
【００３１】
ボタンキャップ400は、ポンピング部材300の上部に位置し、その上端中央部に内容物吐出ホール410が形成されるものであり、前記内容物吐出ホール410には、ユーザーが意図しない状態で内容物を流出することを防止し、ポンピング部材300のポンピング動作による内容物の上昇時に、内容物の圧力によって開栓されるラバーチップ411が装着される。
【００３２】
ボタンキャップ400は、ユーザーの操作によって回転できるように構成され、ボタンキャップ400の回転時に、その内側に結合したポンピングガイド部500が一緒に回転して前記ポンピング部材300を押圧することによって、ポンピング部材300のポンピング動作が行われ、内容物吐出ホール410を通って、内容物を吐出するように構成される。
【００３３】
本発明において、ボタンキャップ400の外周面には、固定体600の表示部610によって案内され、内容物の吐出量を制御する吐出量制御部420を具備することが特徴であり、吐出量制御部420が表示部610のいずれかの一地点に位置する場合には、ボタンキャップ400が回転しただけ押圧突起530がポンピングガイド突起313の上面に沿って移動する。このとき、ポンピングガイド突起313の傾斜面の高さによってポンピング部材300の工程距離が制御され、内容物の吐出量を調節することができ、内容物の吐出量は、ボタンキャップ400の回転角度が大きいほど、より多くの内容物の吐出が行われる。吐出量制御部420は、ボタンキャップ400の外周面から突出する突起形状、又はボタンキャップ400の外周面から陥没する溝形状で構成することができる。
【００３４】
また、ボタンキャップ400の外周面両側には、ボタンキャップ400の回転操作の時に、手が滑ることを防止するために滑り止め突起430を具備し、前記滑り止め突起430は、ボタンキャップ400の回転方向を表示するように構成されることが望ましい
【００３５】
一方、ボタンキャップ400の内周面には、ボタンキャップ400の回転によって、ポンピングガイド部500が一緒に回転することができるように、ポンピングガイド部500の結合溝510と結合する結合突起440を具備する。
【００３６】
また、ボタンキャップ400の外周面には、図4に示すように、ボタンキャップ400の回転過程で固定体600の係止突起630を乗り越える回転突起450を具備し、回転突起450は、ボタンキャップ400の回転時に、複数の表示部610の内、いずれか一つの表示部610を通過するたびに、複数の係止突起630を乗り越えるように構成することにより、ボタンキャップ400の回転時に、回転角度によって、ユーザーがこれを手の感覚で認知することができる。
【００３７】
一方、ボタンキャップ400の下部外周面には、ボタンキャップ400が上方向に移動することを防止するために、後述する固定体600の固定部620によって保持される離脱防止突起460が形成される。
【００３８】
ポンピングガイド部500は、ボタンキャップ400の内側に結合し、ボタンキャップ400の回転と共に回転し、回転過程でポンピング部材300に押圧力を伝達し、ポンピング部材300のポンピング動作を誘導するものであり、ボタンキャップ400の結合突起440と結合する結合溝510が形成される。
【００３９】
本発明において、ポンピングガイド部500の下面には下方向に延長され、ボタンキャップ400の回転によって、ポンピング部材300のポンピングガイド突起313を押圧する少なくとも一つ以上の押圧突起530を具備することが特徴として、ボタンキャップ400の回転時に、押圧突起530がポンピングガイド突起313の上面に沿って移動する過程で、ボタンキャップ400の回転角度によって、ポンピングガイド突起313の傾斜面高さの変化により、ポンピング部材300の工程距離が調節されることで、内容物の吐出量を調節することができる。
【００４０】
押圧突起530は、ポンピングガイド突起313の傾斜面に沿って移動する過程で干渉が生じないように、その下端部が傾斜面に対応する形状で形成されることが好ましい。
【００４１】
一方、ポンピングガイド部500の中央部には、ポンピング部材300のポンピング動作を介して、上方に移動する内容物が内容物吐出ホール410に移動することができるように内容物移動管520を具備し、内容物移動管520は、その下部はポンピング部材300の結合管311に結合し、その上部はボタンキャップ400の内側に結合し、結合管311から内容物吐出ホール410に内容物が移動する通路を形成する。
【００４２】
固定体600は、容器本体100の上部に結合し、ボタンキャップ400を支持するものであり、その内側には、ボタンキャップ400の離脱防止突起460を保持し、ボタンキャップ400の上方向移動を規制する固定部620が形成される。
【００４３】
本発明において、固定体600には、ポンピングガイド部500を回転させるボタンキャップ400の回転角度によって、吐出する内容物の吐出量を表示する表示部610が形成されることが特徴であり、表示部610は、一定間隔に離間された状態で複数個が形成され、ユーザーがボタンキャップ400を回転してから、複数個の表示部610の内、いずれか一つの表示部610でボタンキャップ400の回転を停止させた後、回転押圧力を解除する場合、ボタンキャップ400の回転が停止された時点で表示部に表示された吐出量分の内容物吐出が行われる。
【００４４】
すなわち、ユーザーはボタンキャップ400を回転させる時に、表示部610を確認しながら、ボタンキャップ400の回転角度を調節することにより、必要な量の内容物を吐出して使用することができる。
【００４５】
一方、固定体600の内周面には、ボタンキャップ400の回転時に、回転角度によって、ユーザーがこれを手の感覚で認知することができるように、内周面に沿って離間し形成された複数の係止突起630を具備する。
【００４６】
オーバーキャップ700は、容器本体100の上部でボタンキャップ400を収容して固定体600に着脱可能に結合するものであり、ボタンキャップ400が回転するなどの誤作動を防止する。
【００４７】
以下では、図5〜図9を参照し、本発明の好ましい実施形態に係る真空ポンプを具備したクリームタイプ化粧品容器の使用方法を説明する。図5〜図9は、本発明の好ましい実施形態に係る真空ポンプを具備したクリームタイプ化粧品容器の使用方法を示す説明図である。
【００４８】
図5〜図9を参照すると、ボタンキャップ400を操作しない状態では、ポンプ本体310の上端に押圧突起530が位置する。この状態では、ユーザーがボタンキャップ400を一側方向に回転させると、ボタンキャップ400と噛み合うポンピングガイド部500が回転することによって押圧突起530がポンピングガイド突起313の傾斜面に沿って移動する。
【００４９】
前記のように、押圧突起530がポンピングガイド突起313の傾斜面に沿って移動すると、押圧突起530によってポンピングガイド突起313が押圧されることで、ポンプ本体310が下降し、ポンピング部材300のポンピング動作を介して内容物の吐出が行われ、ユーザーがボタンキャップ400を回転してから、複数個の表示部610の内、いずれか一つの表示部610でボタンキャップ400を停止させた後、回転押圧力を解除する場合、ボタンキャップ400が回転した角度によって、ポンピングガイド突起313の傾斜面上に押圧突起530の位置が規定され、押圧突起530が位置するポンピングガイド突起313の傾斜面の高さに応じて、ポンピング部材300の工程距離が調節されることで、内容物の吐出量が決まる。このとき、内容物の吐出量は、ボタンキャップ400の回転角度が大きいほど、より多くの内容物の吐出が行われる。
【００５０】
一方、ユーザーがボタンキャップ400を操作する押圧力を解除すると、スプリングSの弾性力によってポンプ本体310が上方に移動し、上方に移動する過程で、押圧突起530がポンピングガイド突起313の傾斜面に沿って反対方向に移動し、次のポンピング動作のための状態に復元される。
【００５１】
図面と明細書で最適の実施形態を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施形態が可能であることを理解すべきである。また、本発明の真の技術的保護範囲は、添付された特許請求の範囲の技術的思想によって定められる。
【図１】
2018512978.tif 000002
【図２】
2018512978.tif 000003
【図３】
2018512978.tif 000004
【図４】
2018512978.tif 000005
【図５】
2018512978.tif 000006
【図６】
2018512978.tif 000007
【図７】
2018512978.tif 000008
【図８】
2018512978.tif 000009
【図９】
2018512978.tif 000010
【国際調査報告】
2018512978.tif 000011
2018512978.tif 000012
2018512978.tif 000013
2018512978.tif 000014